(57)【要約】      （修正有）【課題】刺繍糸を使い易くする刺繍用の巻き糸を提供する。【解決手段】巻き糸１は、長尺板状の芯材１０と、芯材１０に巻きつけられた刺繍糸２０を備えている。刺繍糸２０のうち、芯材１０の上側に巻き付けられた白色の刺繍糸２１、黄色の刺繍糸２２、ピンク色の刺繍糸２３、赤色の刺繍糸２４は、その一端部が切り込みに固定された状態で巻き付けられて、その他端部が切り込みに固定されている。また、芯材１０の下側に巻き付けられた緑色の刺繍糸２５、青色の刺繍糸２６、茶色の刺繍糸２７、黒色の刺繍糸２８は、その一端部が切り込みに固定された状態で巻き付けられて、その他端部が切り込みに固定されている。【選択図】図１
0003225203.tif 000002
【実用新案登録請求の範囲】
【請求項１】
芯材と刺繍糸を備えた巻き糸であって、
前記芯材は、第１の糸束の前記刺繍糸が巻き付けられた第１巻付部と、前記第１の糸束とは異なる第２の糸束の前記刺繍糸が巻き付けられた第２巻付部を有していることを特徴とする巻き糸。
【請求項２】
前記芯材は長尺板状に形成され、
前記芯材の長手方向の一方の端部には、前記刺繍糸を留める第１留め部が設けられ、他方の端部には、前記刺繍糸を留める第２留め部が設けられていることを特徴とする請求項１に記載の巻き糸。
【請求項３】
前記第１留め部及び前記第２留め部は、前記芯材に形成した切り込みにより構成され、
前記第１留め部及び前記第２留め部の少なくともいずれかは、複数の切り込みを有していることを特徴とする請求項２に記載の巻き糸。
【考案の詳細な説明】
【技術分野】
【０００１】
本考案は、刺繍用の巻き糸に関する。
【背景技術】
【０００２】
一般に刺繍糸は、６本の刺繍糸が緩く撚り合わされたいわゆる「６本取り」のものを「１かせ」として市販されている。「１かせ」の刺繍糸は、細長い束状にされてその両端部がラベルで止められている。使用時には、ラベルを中央側に寄せるか取り外すかして、「６本取り」の刺繍糸を必要な長さ分引き出して切断する。切断された「６本取り」の刺繍糸から必要に応じて１本ずつ引き出し、例えば「３本取り」にして使用する。
【０００３】
ところで、学校現場の家庭科学習でも刺繍の方法を学習する場合がある。この場合、非特許文献１に記載されるように、所定の長さに切り揃えられた「６本取り」の刺繍糸が複数色組み合わされて細長い束状にされたものを、教材として使用する場合がある。所定の長さに切り揃えられた複数色の刺繍糸を組み合わせているため、異なる色の刺繍糸を少しずつ使用する家庭科学習に適している。
【先行技術文献】
【非特許文献】
【０００４】
【非特許文献１】株式会社文溪堂  家庭科カタログ  クロッサム（登録商標）  ２０１９年度版  第１１４−１１５頁
【考案の概要】
【考案が解決しようとする課題】
【０００５】
こうした複数色の刺繍糸が組み合わされたものを使用する際、生徒は、まず必要な色の刺繍糸、例えば、赤色の刺繍糸を「６本取り」の状態で引き出す。また、家庭科学習では通常、「２本取り」や「３本取り」で刺繍する場合が多いことから、引き出した「６本取り」の赤色の刺繍糸から、さらに２本乃至３本を順次引き出す。
【０００６】
しかし、複数色の刺繍糸が束状になっているため、１色ずつ引き出す際には、異なる色の刺繍糸と絡まってしまう場合がある。また、「６本取り」の刺繍糸は緩く撚り合わされた状態となっているため、１本ずつ引き出す際には、残りの刺繍糸と絡まってしまう場合がある。そのため、必要な刺繍糸を準備するだけで時間や労力を要することになり、学習時間が侵食されてしまったり、学習意欲が削がれてしまったりするといった事態が起こり得る。
【０００７】
本考案は、こうした従来の実情に鑑みてなされたものであり、その目的は、刺繍糸を使い易くできる刺繍用の巻き糸を提供することである。
【課題を解決するための手段】
【０００８】
上記の目的を達成するため、本考案は、芯材と刺繍糸を備えた巻き糸であって、前記芯材は、第１の糸束の前記刺繍糸が巻き付けられた第１巻付部と、前記第１の糸束とは異なる第２の糸束の前記刺繍糸が巻き付けられた第２巻付部を有している。
【０００９】
上記の構成によれば、異なる糸束の刺繍糸が、それぞれ芯材の異なる位置に巻き付けられている。異なる糸束とは、色が異なる糸束、本数が異なる糸束、太さが異なる糸束、素材が異なる糸束等が挙げられる。そのため、例えば、異なる色の刺繍糸を使用したい場合、複数の巻付部から、使用したい色の刺繍糸が巻き付けられた巻付部を選択して、その巻付部から刺繍糸を巻き出せばよい。また、異なる本数の刺繍糸を使用したい場合、複数の巻付部から、使用したい本数の刺繍糸が巻き付けられた巻付部を選択して、その巻付部から刺繍糸を巻き出せばよい。２本取りの刺繍糸が巻き付けられている巻付部と、３本取りの刺繍糸が巻き付けられている巻付部があれば、２本取りや３本取りだけでなく、４本取りで使用したい場合にも便利である。刺繍糸を使い易くすることができる。
【００１０】
上記の構成において、前記芯材は長尺板状に形成され、前記芯材の長手方向の一方の端部には、前記刺繍糸を留める第１留め部が設けられ、他方の端部には、前記刺繍糸を留める第２留め部が設けられていることが好ましい。
【００１１】
上記の構成によれば、異なる巻付部に巻き付けられた刺繍糸を、適宜の留め部に固定しておくことができる。例えば、第1留め部に近い側の巻付部に巻き付けられた刺繍糸は第1留め部に固定し、第２仮留め部に近い側の巻付部に巻き付けられた刺繍糸は第２留め部に固定するようにすれば、異なる巻付部に巻き付けられた刺繍糸同士が干渉することが抑制される。刺繍糸の巻き出しが容易に行える。
【００１２】
上記の構成において、前記第１留め部及び前記第２留め部は、前記芯材に形成した切り込みにより構成され、前記第１留め部及び前記第２留め部の少なくともいずれかは、複数の切り込みを有していることが好ましい。
【００１３】
上記の構成によれば、留め部に切り込みが形成されているため、刺繍糸を固定したり外したりし易い。また、複数の切り込みが形成されているため、複数の巻付部に巻き付けられた異なる糸束の刺繍糸を、異なる切り込みに固定することもできる。刺繍糸の長さによって固定する切り込みを選択したり、使用者の利き手によって固定する切り込みを選択したりすることができる。使い易さが向上するとともに利便性が向上する。
【考案の効果】
【００１４】
本考案の巻き糸は、刺繍糸を使い易くすることができる。
【図面の簡単な説明】
【００１５】
【図１】本実施形態の巻き糸の斜視図。
【図２】（ａ）は芯材の表面図、（ｂ）は芯材の裏面図。
【図３】巻き糸の使用方法について説明する図。
【図４】巻き糸の使用方法について説明する図。
【図５】巻き糸の変更例の斜視図。
【考案を実施するための形態】
【００１６】
以下、本考案を具体化した巻き糸の一実施形態を図１及び図２に基づいて説明する。
図１に示すように、巻き糸１は、長尺板状の芯材１０と、芯材１０に巻き付けられた刺繍糸２０を備えている。以下では、図１に示す上下、左右に基づいて、巻き糸１及び芯材１０の上下、左右を規定する。また、図１に示す面を巻き糸１及び芯材１０の表面、その反対側の面を巻き糸１及び芯材１０の裏面と規定する。
【００１７】
図１及び図２に示すように、芯材１０は、長尺板状の厚紙で形成されている。芯材１０の上端部及び下端部には、左右方向の幅が広い幅広部１１、１２が形成されており、上下方向中間部には、幅広部１１、１２に比べて相対的に左右方向の幅が狭い幅狭部１３が形成されている。芯材１０は、上下方向及び左右方向の中間点に対して点対称形状に形成されている。芯材１０の厚みは約１ｍｍ、上下方向寸法は約９ｃｍ、幅広部１１、１２の左右方向寸法は約６．５ｃｍ、幅狭部１３の左右方向寸法は約５ｃｍとされている。
【００１８】
図２（ａ）及び（ｂ）に示すように、幅広部１１の上端縁には、刺繍糸２０を固定したり、一時的に仮留めしたりするための留め部１４が設けられている。留め部１４は、芯材１０を上端縁から上下方向に切り込んで形成された切り込み１４ａ、１４ｂ、１４ｃで構成されている。同様に、幅広部１２の下端縁には、切り込み１５ａ、１５ｂ、１５ｃで構成された留め部１５が設けられている。また、幅狭部１３の左端縁には、２箇所の切り込み１６ａ、１６ｂが上下方向に並ぶように形成されている。
【００１９】
図２（ａ）に示すように、芯材１０の表面１０ａの幅広部１１には、商品名を印刷した商品名欄１７が設けられている。また、幅広部１２には、刺繍糸２０の太さ、本数、素材等を印刷した商品仕様欄１８が設けられている。図２（ｂ）に示すように、芯材１０の裏面１０ｂの幅広部１１には、刺繍糸２０の取り出し方についての説明文を、巻き糸１の図柄とともに印刷した解説欄１９が設けられている。
【００２０】
図１に示すように、芯材１０の幅狭部１３には、複数色の刺繍糸２０の糸束がそれぞれ異なる位置に巻き付けられている。具体的には、芯材１０の上端部から順に、白色の刺繍糸２１、黄色の刺繍糸２２、ピンク色の刺繍糸２３、赤色の刺繍糸２４、緑色の刺繍糸２５、青色の刺繍糸２６、茶色の刺繍糸２７、黒色の刺繍糸２８の各糸束が巻き付けられている。以下では、特に色を限定しないで説明する場合には、刺繍糸２０として説明する。また、図２に示すように、芯材１０において刺繍糸２０の糸束が巻き付けられている部分を巻付部３０というものとする。巻付部３０は、刺繍糸２１、２２、２３、・・・・・が巻き付けられた巻付部３０を、それぞれ巻付部３１、３２、３３、・・・・・というように、刺繍糸２０の部材番号に１０を足した部材番号で示す。
【００２１】
すべての色の刺繍糸２０は、２本取りのものがそれぞれ３ｍずつ巻き付けられている。すべての色の刺繍糸２０は、巻き糸１を上方から見たときに左巻きとなるように巻き付けられている。
【００２２】
図１及び図２に示すように、刺繍糸２０のうち、芯材１０の上側に巻き付けられた白色の刺繍糸２１、黄色の刺繍糸２２、ピンク色の刺繍糸２３、赤色の刺繍糸２４は、その一端部が切り込み１６ａに固定された状態で巻き付けられて、その他端部が切り込み１４ｂに固定されている。また、芯材１０の下側に巻き付けられた緑色の刺繍糸２５、青色の刺繍糸２６、茶色の刺繍糸２７、黒色の刺繍糸２８は、その一端部が切り込み１６ｂに固定された状態で巻き付けられて、その他端部が切り込み１５ｂに固定されている。
【００２３】
次に、巻き糸１の使用方法及び作用について図３及び図４に基づいて説明する。
まず、芯材１０の上側に巻き付けられた４色の刺繍糸２０のうち、最も下側に巻き付けられた赤色の刺繍糸２４を使用して２本取りで刺繍をする場合について説明する。
【００２４】
芯材１０の上側の巻付部３０に巻き付けられた白色の刺繍糸２１、黄色の刺繍糸２２、ピンク色の刺繍糸２３、赤色の刺繍糸２４の各端部を切り込み１４ｂから外す。そして、図３に示すように、赤色の刺繍糸２４の端部のみを残して、白色の刺繍糸２１、黄色の刺繍糸２２、ピンク色の刺繍糸２３の各端部は、切り込み１４ｂに固定し直す。端部がフリーな状態となった赤色の刺繍糸２４は、必要な長さを巻き出して切断する。切断後の赤色の刺繍糸２４の端部は、その長さに応じて適宜切り込み１４ａ、１４ｂ、１４ｃを選択して固定しておく。２本取りで所定長に切断された赤色の刺繍糸２４を刺繍針に通して刺繍をする。
【００２５】
このように、芯材１０の上側では、色の異なる刺繍糸２１、２２、２３、２４の２本取りの糸束が、異なる位置の巻付部３１、３２、３３、３４のそれぞれに別個に巻き付けられていることから、使用したい色の刺繍糸２０を容易に巻き出して２本取りでの刺繍をすることができる。
【００２６】
芯材１０の下側の巻付部３０に巻き付けられた４色の刺繍糸２０のうち、最も上側に巻き付けられた緑色の刺繍糸２５を使用して２本取りで刺繍をする場合も同様である。まず、芯材１０の下側の巻付部３０に巻き付けられた緑色の刺繍糸２５、青色の刺繍糸２６、茶色の刺繍糸２７、黒色の刺繍糸２８の各端部を切り込み１５ｂから外す。図３に示すように、緑色の刺繍糸２５の端部のみを残して、他の色の刺繍糸２６、２７、２８の各端部は、切り込み１５ｂに固定し直す。端部がフリーな状態となった緑色の刺繍糸２５を必要な長さだけ巻き出して切断すれば、そのまま２本取りでの刺繍をすることができる。切断後の緑色の刺繍糸２５の端部は、その長さに応じて適宜切り込み１５ａ、１５ｂ、１５ｃを選択して固定しておく。
【００２７】
このように、芯材１０の下側では、色の異なる刺繍糸２５、２６、２７、２８の２本取りの糸束が、異なる位置の巻付部３５、３６、３７、３８のそれぞれに別個に巻き付けられていることから、使用したい色の刺繍糸２０を容易に巻き出して２本取りでの刺繍をすることができる。
【００２８】
次に、芯材１０の上側の巻付部３０に巻き付けられた４色の刺繍糸２１、２２、２３、２４のうち、下側に刺繍糸２０が存在するもの、つまり、４色の刺繍糸２１、２２、２３、２４のうち、上側の３つの刺繍糸２１、２２、２３を使用して２本取りで刺繍をする場合について説明する。
【００２９】
図４に示すように、例えば、黄色の刺繍糸２２を使用する場合、図１に示すように、それより下側の巻付部３０に巻き付けられたピンク色の刺繍糸２３の端部及び赤色の刺繍糸２４の端部は、黄色の刺繍糸２２の上を横切るようにして切り込み１４ｂに固定されている。そのため、黄色の刺繍糸２２を巻き出す際には、ピンク色の刺繍糸２３及び赤色の刺繍糸２４と干渉することになる。この点、芯材１０には、下端部の幅広部１２にも留め部１５が設けられていることから、この留め部１５を利用して、黄色の刺繍糸２２と、ピンク色の刺繍糸２３及び赤色の刺繍糸２４との干渉を抑制する。
【００３０】
つまり、図４に示すように、芯材１０の上側の巻付部３０に巻き付けられた刺繍糸２１、２２、２３、２４の各端部を切り込み１４ｂから外した後、白色の刺繍糸２１の端部は、切り込み１４ｂに固定し直すのに対して、黄色の刺繍糸２２の下側に巻き付けられたピンク色の刺繍糸２３の端部及び赤色の刺繍糸２４の端部は、留め部１５の切り込み１５ａ、１５ｂ、１５ｃのいずれかに移動させる。こうすると、ピンク色の刺繍糸２３及び赤色の刺繍糸２４は、黄色の刺繍糸２２の上を横切ることがなくなり、黄色の刺繍糸２２を容易に巻き出すことができる。４色の刺繍糸２１、２２、２３、２４のうち、下側に刺繍糸２０が存在する白色の刺繍糸２１、ピンク色の刺繍糸２３についても、下端部の幅広部１２に設けられた留め部１５を使用すれば容易に巻き出すことができる。
【００３１】
芯材１０の下側の巻付部３０に巻き付けられた４色の刺繍糸２５、２６、２７、２８のうち、上側に刺繍糸２０が存在するもの、つまり、４色の刺繍糸２５、２６、２７、２８のうち、下側の３つの刺繍糸２６、２７、２８を使用して２本取りで刺繍をする場合も同様である。上端部の幅広部１１に設けられた留め部１４を使用すれば、刺繍糸２０同士が干渉することなく、容易に巻き出すことができる。
【００３２】
次に、４本取りで刺繍をする場合について説明する。例えば、赤色の刺繍糸２４を使用して４本取りで刺繍をする場合には、上記と同様の手順で赤色の刺繍糸２４を巻き出す。巻付部３４には、赤色の刺繍糸２４が２本取りの糸束で巻き付けられていることから、必要長の２倍巻き出すか、必要長の刺繍糸２４を２回巻き出せばよい。
【００３３】
また、３本取りで刺繍をする場合には、２回目に巻き出した２本取りの糸束から１本を引き出し、１回目に巻き出した２本取りの糸束を合わせて３本取りとすればよい。
次に、本実施形態の巻き糸１の効果について以下に記載する。
【００３４】
（１）芯材１０は、刺繍糸２０が巻き付けられた複数の巻付部３０を有している。そして、各巻付部３０に巻き付けられた刺繍糸２０は、それぞれ色が異なる２本取りの糸束として構成されている。
【００３５】
そのため、使用したい色の刺繍糸２０を２本取りの糸束の状態で容易に巻き出すことができる。複数色の刺繍糸が束状になった従来の刺繍糸に比べて、異なる色の刺繍糸２０同士が絡まってしまうことが抑制される。また、６本取りの刺繍糸の場合に比べて、糸束を構成する刺繍糸２０同士が絡まってしまうことが抑制される。刺繍糸２０の取り扱いがし易い。
【００３６】
（２）芯材１０は長尺板状に形成されており、上端部の幅広部１１には留め部１４が設けられ、下端部の幅広部１２には留め部１５が設けられている。
そのため、異なる巻付部３０に巻き付けられた刺繍糸２０の端部を、留め部１４、１５から選択して固定しておくことができる。例えば、巻付部３０から近い側の留め部１４、１５に固定することができて、利便性が向上する。
【００３７】
また、使用したい刺繍糸２０の上を他の刺繍糸２０の端部が横切るような状態で留め部１４、１５に固定されているような場合、使用したい刺繍糸２０に干渉する刺繍糸２０を、他方の留め部１５、１４に固定し直すことができる。これにより、使用したい刺繍糸２０の巻き出しが容易になる。
【００３８】
（３）留め部１４は、芯材１０を上端縁から上下方向に切り込んで形成された切り込み１４ａ、１４ｂ、１４ｃで構成されている。
そのため、刺繍糸２０を固定したり外したりし易い。また、留め部１４の構成を簡素化することができる。留め部１５についても同様である。
【００３９】
（４）留め部１４は、複数の切り込み１４ａ、１４ｂ、１４ｃを有している。
そのため、適宜の位置の切り込み１４ａ、１４ｂ、１４ｃを選択して刺繍糸２０を固定することができる。例えば、刺繍糸２０の端部の長さによって選択することもできるし、使用者の利き手によって使用し易い位置の切り込み１４ａ、１４ｂ、１４ｃを選択することもできる。利便性が向上する。
【００４０】
（５）芯材１０の裏面１０ｂの幅広部１１には、刺繍糸２０の取り出し方についての説明文を、巻き糸１の図柄とともに印刷した解説欄１９が設けられている。
そのため、巻き糸１の使用者がその使用方法を理解し易い。例えば、学校現場の家庭科学習で刺繍の方法を学習するような場合、生徒は解説欄１９を読んで理解したり、解説欄１９で要点を再確認したりすることができる。
【００４１】
上記実施形態は、以下のように変更することができる。なお、上記実施形態及び以下の変更例は、技術的に矛盾しない範囲で互いに組み合わせて適用することができる。
・芯材１０の材質、大きさ、形状等は上記実施形態のものに限定されない。例えば、樹脂製、金属製、木製等であってもよい。また、図５に示すような略円柱状であってもよい。この場合、軸方向両端部に径方向に拡径する拡径部４１、４２が形成されており、それぞれの拡径部４１、４２に、刺繍糸２０を固定する留め部４３、４４が設けられていてもよい。また、留め部４３が複数の切り込み４３ａ、４３ｂ、４３ｃで構成され、留め部４４が複数の切り込み４４ａ、４４ｂ、４４ｃで構成されていてもよい。
【００４２】
・上記実施形態の巻き糸１では、芯材１０の幅狭部１３の左右両端縁は直線状に形成されているが、これに限定されない。例えば、幅狭部１３の左右両端縁に複数の凹部を形成して、各凹部を巻付部３１、３２，３３、・・・・・としてもよい。こうすることで、使用者が刺繍糸２０を巻き出したり巻き戻したりする場合に、隣り合う刺繍糸２０の糸束同士が重なり合うことが抑制される。
【００４３】
・芯材１０における巻付部３０の数は特に限定されない。つまり、芯材１０に巻き付けられた刺繍糸２０の糸束の数は特に限定されない。２〜７個であってもよく、９個以上であってもよい。
【００４４】
・留め部１４の切り込み１４ａ、１４ｂ、１４ｃの数は特に限定されない。１箇所、２箇所であってもよく、４箇所以上であってもよい。留め部１５についても同様である。また、留め部１４と留め部１５とで数が異なっていてもよい。
【００４５】
・留め部１４、１５は芯材１０を上下方向に切り込むことによって形成されたものでなくてもよい。例えば、刺繍糸２０を固定するための樹脂製等の留め部が別体で取り付けられていてもよい。
【００４６】
・留め部１４、１５は、一方の幅広部１１、１２のみに設けられていてもよい。
・上記実施形態では、刺繍糸２０を２本取りで巻き付けているがこれに限定されない。１本取りであってもよく、３本取り以上であってもよい。
【００４７】
・上記実施形態では、刺繍糸２０の糸束を、色が異なる糸束としたが糸束の種類はこれに限定されない。色が異なる糸束でなく、本数が異なる糸束、太さが異なる糸束、素材が異なる糸束であってもよい。また、色及び本数が異なるといったように複数の点で異なる糸束であってもよい。
【００４８】
・刺繍糸２０の巻き付け方向は、巻き糸１を上方から見たときに右巻きであってもよい。また、上側の刺繍糸２１、２２、２３、２４の糸束と下側の刺繍糸２５、２６、２７、２８の糸束とで巻き付け方向が異なっていてもよい。或いは、隣り合う刺繍糸２０の糸束で巻き付け方向が異なっていてもよい。
【００４９】
・芯材１０に設けられた商品名欄１７、商品仕様欄１８、解説欄１９の少なくともいずれかを省略してもよい。また、商品名欄１７、商品仕様欄１８、解説欄１９の設けられた位置を適宜変更してもよい。さらに、商品名欄１７、商品仕様欄１８、解説欄１９は印刷でなく、シールの貼付等であってもよい。
【００５０】
・刺繍糸２０は、細い６本の糸が緩く撚り合わされた一般的な刺繍糸に限定されず、１本取りで使用するいわゆる刺し子糸であってもよい。
【符号の説明】
【００５１】
１…巻き糸、１０…芯材、１１、１２…幅広部、１３…幅狭部、１４、１５…留め部、１４ａ、１４ｂ、１４ｃ、１５ａ、１５ｂ、１５ｃ…切り込み、２０、２１、２２、２３、２４、２５、２６、２７、２８…刺繍糸、３０、３１、３２、３３、３４、３５、３６，３７、３８…巻付部。
【図１】
0003225203.tif 000003
【図２】
0003225203.tif 000004
【図３】
0003225203.tif 000005
【図４】
0003225203.tif 000006
【図５】
0003225203.tif 000007